(57)【特許請求の範囲】
【請求項１】
物体側より順に正の第１レンズ、負の第２レンズ、正の第３レンズ、負の第４レンズからなり、上記第１レンズ，第２レンズ及び第３レンズにより対物レンズ系を構成し、上記第４レンズにより接眼レンズ系を構成するとともに、上記第２レンズの射出瞳側の面をアルバダ反射面とし、該第２レンズと上記第３レンズの間に視野枠を有する平行平板を挿入し、上記視野枠を上記アルバダ反射面を介して観察するようにしたことを特徴とするアルバダ式ガリレオファインダ。
【請求項２】
請求項１記載のアルバダ式ガリレオファインダにおいて、以下の条件式を満たすことを特徴とするアルバダ式ガリレオファインダ。
（１）０．７５＜Ｒａ／Ｆｏ＜１
但し  Ｒａ：アルバダ反射面の曲率半径
Ｆｏ：対物レンズの焦点距離
とする。
【発明の詳細な説明】
【０００１】
【発明の属する技術分野】
この発明は、倍率が１より大きいアルバダ式ガリレオファインダに関する。
【０００２】
【従来の技術】
従来、この種のアルバダ式ファインダは、例えば図８の（ａ）に示すように、負の対物レンズ系ＬＡと正の接眼レンズ系ＬＢからなり、対物レンズ系ＬＡの射出瞳（アイポイント）Ｅ．Ｐ．側の凹面の１面をアルバダ反射面ＡＲとし、接眼レンズ系ＬＢより物体側（図で左側）に視野枠ＦＦを有する平行平板ＰＧを設けるか、あるいは接眼レンズ系ＬＢ中の一面に視野枠を形成した通常逆ガリレオタイプと称されるものである。図中、実線は視野枠ＦＦ内を通って画角いっぱいに入射する光線、破線は視野枠ＦＦからの反射光線及び照明光線をそれぞれ示している。
【０００３】
そして、このような構成により、対物レンズ系ＬＡと接眼レンズ系ＬＢとによるファインダ像と、視野枠ＦＦによる外光の反射光線がアルバダ反射面ＡＲで再び反射されることにより形成される視野枠像とをアイポイントＥ．Ｐ．上で重複して観察し得るようになっている。
なお、図８の（ｂ）は、従来のアルバダ式ファインダにおけるアルバダ光学系の基本構成要素を示すものである。
【０００４】
【発明が解決しようとする課題】
しかしながら、このような従来のアルバダ式ファインダは、逆ガリレオタイプの構成上、ファインダ倍率が１より小さくなる。
一方、このようなアルバダ式ファインダを、例えばレンズ交換可能な距離計連動カメラの望遠側のレンズ用に外付けビューファインダとして用いる場合を考えると、そのファインダ倍率は少なくとも等倍かあるいは等倍を越えるものが要求される。
【０００５】
そのためには、従来の逆ガリレオタイプのファインダに代えてガリレオタイプで構成する必要があるが、従来、このようなガリレオタイプのファインダでアルバダ光学系を組み込んだものは見当たらない。
この発明は上記の点に鑑みてなされたものであり、ファインダ倍率が等倍を越えるアルバダ式ガリレオファインダを提供することを目的とする。
【０００６】
【課題を解決するための手段】
この発明は上記の目的を達成するため、物体側より順に正の第１レンズ、負の第２レンズ、正の第３レンズ、負の第４レンズからなり、上記第１レンズ，第２レンズ及び第３レンズにより対物レンズ系を構成し、上記第４レンズにより接眼レンズ系を構成するとともに、上記第２レンズの射出瞳側の面をアルバダ反射面とし、この第２レンズと上記第３レンズの間に視野枠を有する平行平板を挿入し、上記視野枠を上記アルバダ反射面を介して観察するようにしたアルバダ式ガリレオファインダを提供するものである。
【０００７】
そして、上記のアルバダ式ガリレオファインダにおいて、以下の条件式を満たすようにするのが好ましい。
（１）０．７５＜Ｒａ／Ｆｏ＜１
但し  Ｒａ：アルバダ反射面の曲率半径
Ｆｏ：対物レンズの焦点距離
とする。
【０００８】
【発明の実施の形態】
以下、この発明の実施形態及び各実施例を図面に基づいて具体的に説明する。
図１の（ａ）は、この発明の一実施形態における対物レンズ系の構成並びに光路図、（ｂ）は、（ａ）に示した対物レンズ系の構成に接眼レンズ系を加えた全系の構成並びに光路図、（ｃ）は、そのファインダ像と視野枠像とに対する主光線の関係を示す構成並びに光路図である。
【０００９】
なお、同図の（ａ）及び（ｂ）において、実線はファインダ系の軸上近軸光線を、破線はアルバダ系の軸上近軸光線を示し、同図の（ｃ）においては、実線は視野枠内を通って画角いっぱいに入射する光線を、破線は視野枠からの反射光線及び照明光線をそれぞれ示している。
【００１０】
この発明によるアルバタ式ガリレオファインダは、図１の（ｂ），（ｃ）に示すように、物体側より順に正の第１レンズＬ１，負の第２レンズＬ２，正の第３レンズＬ３及び負の第４レンズＬ４からなり、第１，第２，第３レンズＬ１，Ｌ２，Ｌ３により対物レンズ系ＬＡを、第４レンズＬ４により接眼レンズ系ＬＢをそれぞれ構成するとともに、第２レンズＬ２の射出瞳Ｅ．Ｐ．側の面をアルバダ反射面ＡＲとし、第２レンズＬ２と第３レンズＬ３との間に視野枠ＦＦを有する平行平板ＰＧを挿入したものである。
【００１１】
そして、上記の構成において、アルバダ反射面ＡＲの曲率半径をＲａ，対物レンズ系ＬＡの焦点距離をＦｏとしたとき、
（１）０．７５＜Ｒａ／Ｆｏ＜１
なる条件式を満たすようにする。
【００１２】
このような構成によれば、図１の（ａ）に示すように、図８の（ｂ）に示したアルバダ光学系をそのまま含むような正の屈折力を有する対物レンズ系ＬＡを構成することができ、この対物レンズ系ＬＡの後側焦点位置Ｆｏ′に、同図の（ｂ）に示すような負の屈折力を有する接眼レンズ系ＬＢの前側焦点位置Ｆｅを一致させて配置することにより、アルバダ式ガリレオファインダを得ることができる。
【００１３】
なお、このように対物レンズ系ＬＡの後側焦点位置Ｆｏ′と接眼レンズ系ＬＢの前側焦点位置Ｆｅを合わせることによりアフォーカル系を形成するファインダ光学系の視度は０ディオプタであり、実際に人間の目の特性から通常のファインダ光学系で設定されている−１ディオプタ前後の視度とは異なっているが、説明を簡単にするため、ここでは完全なアフォーカル系として説明する。
【００１４】
図１に示すファインダ光学系において、対物レンズ系ＬＡを構成する正の第１レンズＬ１は、負の第２レンズＬ２のアルバダ反射面ＡＲが視野光学系としては凹作用面であるため、正の第３レンズＬ３だけでは対物レンズ系ＬＡとして所要の正の屈折力を得ることが困難となるために設けられたものである。
【００１５】
そして、第２レンズＬ２のアルバダ反射面ＡＲの曲率半径Ｒａと、対物レンズ系ＬＡの焦点距離Ｆｏとの比が前述した条件式（１）の上限値を上回ると、アルバダ反射面ＡＲの曲率半径Ｒａが大きくなってアルバダ反射面ＡＲと視野枠ＦＦとのスペースを大きく取らなければならず、それに伴って全レンズ系の長さが大きくなる。
【００１６】
逆に、その値が条件式（１）の下限値を下回ると、視野光学系においてはアルバダ反射面ＡＲによる負の屈折力が強くなって対物レンズ系ＬＡ中の正の第１，第３レンズＬ１，Ｌ３の屈折力負担が大きくなり、糸巻き型の歪曲収差やコマ収差が増大するとともに、アルバダ光学系においては、視野枠像がアルバダ反射面ＡＲにより接眼レンズ系ＬＢと相俟って正の像面変曲が増大し、非点隔差も大きくなって良好な視野枠像を得ることができなくなる。
【００１７】
【実施例】
次に、この発明によるアルバダ式ガリレオファインダの望ましい各実施例を示す。
図２及び図５は、それぞれこの発明の実施例１及び２の構成並びに光路図、図３及び図６はこの発明の実施例１及び２のファインダ系の各収差図、図４及び図７は、この発明の実施例１及び２のアルバダ系の各収差図である。
【００１８】
なお、以下の各実施例において、
Ｉ：面番号
Ｒ(Ｉ)：第Ｉ面の曲率半径
Ｄ(Ｉ)：第Ｉ面後の面間隔
ｎ(Ｉ)ｄ：第Ｉ面後の屈折率
ν(Ｉ)ｄ：第Ｉ面後のアッベ数
ω：視野枠内を通って画角いっぱいに入射する光線の入射半画角
ω′：視野枠内を通って画角いっぱいに入射する光線の射出半画角、及び視野枠からの反射光線の射出半画角
をそれぞれ示す。
以下の表１，表２は実施例１，２のパラメータをそれぞれ示すものである。
【００１９】
【表１】
0004303346.tif 000002
【００２０】
【表２】
0004303346.tif 000003
【００２１】
【発明の効果】
以上述べたように、この発明によるアルバダ式ガリレオファインダによれば、アルバダファインダとしては従来に類を見ない等倍より大きなファインダ倍率を達成することができる。そして、このアルバダ式ガリレオファインダにおいて条件式１を満たすようにすると、大きなファインダ倍率を確保しながら、優れた光学性能を得ることが可能になる。
【図面の簡単な説明】
【図１】この発明の一実施形態を示す構成並びに光路図である。
【図２】この発明の実施例１の構成並びに光路図である。
【図３】同じくそのファインダ系における収差図である。
【図４】同じくそのアルバダ系における収差図である。
【図５】この発明の実施例２の構成並びに光路図である。
【図６】同じくそのファインダ系における収差図である。
【図７】同じくそのアルバダ系における収差図である。
【図８】従来のアルバダ式逆ガリレオファインダの一例を示す構成並びに光路図である。
【符号の説明】
Ｒ(Ｉ)：第Ｉ面の曲率半径
Ｄ(Ｉ)：第Ｉ面後の面間隔
Ｌ(Ｉ)：物体側より第Ｉ番目のレンズ
ＬＡ：対物レンズ系
ＬＢ：接眼レンズ系
ＰＧ：平行平板
ＡＲ：アルバダ反射面
ＦＦ：視野枠
Ｅ.Ｐ.：アイポイント
ω′：視野枠内を通って画角いっぱいに入射する光線の射出半画角、及び視野枠からの反射光線の射出半画角
ω″：視野枠内７割像高における射出半画角
Ｆｏ′：対物レンズ系後側焦点
Ｆｅ：接眼レンズ系前側焦点
Ｓ：サジタル
Ｍ：メリジオナル
【図１】
0004303346.tif 000004
【図２】
0004303346.tif 000005
【図５】
0004303346.tif 000006
【図３】
0004303346.tif 000007
【図４】
0004303346.tif 000008
【図６】
0004303346.tif 000009
【図７】
0004303346.tif 000010
【図８】
0004303346.tif 000011